(57)【要約】【課題】くわえ側万力と印刷版の間隔によって生じる印刷版のたわみを除去し、良好な初期見当が得られるオフセット輪転印刷機における版掛け装置を提供する。【解決手段】オフセット輪転印刷機において、版胴に設けられたくわえ側万力に印刷版吸着手段を有することを特徴とするオフセット輪転印刷機である。印刷版吸着手段としては、エアー吸着手段、静電気吸着手段から選ばれる１つ以上の吸着手段であることが好ましい。また、オフセット輪転印刷機における版胴のくわえ側万力に設けられた印刷版吸着手段により、少なくとも版掛け時に印刷版を吸着させることを特徴とする版掛け方法である。【選択図】  図１
2006240019.tif 000002
【特許請求の範囲】
【請求項１】
オフセット輪転印刷機において、版胴に設けられたくわえ側万力に印刷版吸着手段を有することを特徴とするオフセット輪転印刷機。
【請求項２】
上記印刷版吸着手段が、エアー吸着手段、静電気吸着手段から選ばれる１つ以上の吸着手段であることを特徴とする請求項１記載のオフセット輪転印刷機。
【請求項３】
オフセット輪転印刷機における版胴のくわえ側万力に設けられた請求項１または２に記載の印刷版吸着手段により、少なくとも版掛け時に印刷版を吸着させることを特徴とする版掛け方法。
【発明の詳細な説明】
【技術分野】
【０００１】
本発明は、オフセット輪転印刷機及び版掛け方法に関するものであり、さらに詳しくは印刷版のたわみを除去して良好な初期見当が得られるオフセット輪転印刷機及び版掛け方法に関するものである。
【背景技術】
【０００２】
枚葉紙に印刷をするオフセット輪転印刷機では、”フレキシブルベース版”と呼ばれる印刷版を使用し、印刷を行うことがある。該印刷版の特徴は、印刷版のベースに紙またはフィルムなどを適用していることにあり、従来より使用されているアルミベース版と比べて価格が安価であることや、アナログ製版により作成されるアルミベース版よりも少ない工程で印刷版の作成が可能であり、小ロット短納期の印刷に向いていることから、主に軽印刷において広く使用されている。
【０００３】
また、現在では、印刷材料費をコストダウンすること、増加している小ロット短納期の作業に対応することを目的に、高級カラー印刷においてもフレキシブルベース版が使用されている。
【０００４】
しかしながら、フレキシブルベース版は紙、フィルムなど腰の柔らかい材料をベースに適用しているため、初期見当において部分的な歪みが発生するなど、腰の硬い材料をベースに適用しているアルミベース版では見られない特有の問題を発生させる場合がある。
【０００５】
オフセット輪転印刷機における版掛け方法と共に、フレキシブルベース版の初期見当で部分的な歪みが発生する機構を図を用いて説明する。
【０００６】
図５は、版胴に印刷版３を装着した態様を示す断面図である。オフセット輪転印刷機における版掛けは、印刷版３を版胴４に設けられているくわえ側万力２に挿入した後、くわえ側万力２を閉めて印刷版３のくわえ側を固定する。次に、印刷版を版胴の円周に沿って巻き付け、印刷版３を版胴に設けられているくわえ尻側万力７に挿入した後、くわえ尻側万力７を閉めて印刷版３のくわえ尻側を固定する、という手順で行われる。
【０００７】
なお、図６のくわえ側万力２の断面図に示すように、くわえ側万力２には印刷版３を挿入させるために設けられている間隔Ｘがある。該間隔Ｘは、印刷版３を挿入した後に版胴方向（矢印で図示）に閉められることにより、印刷版３が固定される。
【０００８】
このくわえ側万力２の間隔Ｘに印刷版３を挿入し固定する際に、アルミベース版は腰の硬いベースであるため、図示した印刷版３のように間隔Ｘでたわみが発生することは殆ど無い。従って、版掛けの際には、図７のくわえ側万力２付近の印刷版の断面図に示すように、版胴４の幅方向に対して印刷版のくわえ側８が平行に近づきやすくなるため、図８の印刷用紙９に印刷された印刷画像１０に示すように良好な初期見当を得ることができる。
【０００９】
これに対し、フレキシブルベース版の場合は、腰の柔らかい材料をベースに適用しているため、図９のくわえ側万力２の断面図に示すように、印刷版１１は間隔Ｘでたわみが発生しやすい。従って、版掛けの際には、図１０のくわえ側万力付近の印刷版の断面図に示すように、版胴４の幅方向に対して印刷版１２のくわえ側がたわみやすくなるため、図１１の印刷用紙９に印刷された印刷画像１３に示すような部分的な歪みが発生した初期見当になりやすい。
【００１０】
従来より、この印刷版のたわみに起因する、初期見当の部分的な歪みを防止するため、版掛けの際には圧着ロールにより印刷版を版胴方向に押さえるなどの対策が採用されてきた（例えば、特許文献１参照）。
【００１１】
しかしながら、印刷版装着時におけるフレキシブルベース版のたわみ発生の機構を考慮すると、初期見当の部分的なたわみをより効果的に防止するためには、圧着ロールにより印刷版を版胴方向に押さえるのではなく、くわえ側万力と印刷版の間隔を無くし、該間隔で生じる印刷版のたわみそのものを除去することが有効だが、今まではそのようなものは無かった。
【特許文献１】特開平７−３０４１６０号公報
【発明の開示】
【発明が解決しようとする課題】
【００１２】
本発明の目的は、上記の問題を解決することにあり、くわえ側万力と印刷版の間隔によって生じる印刷版のたわみを除去し、良好な初期見当が得られるオフセット輪転印刷機及び版掛け方法を提供するものである。
【課題を解決するための手段】
【００１３】
本発明者は上記に鑑み鋭意研究した結果、本発明のオフセット輪転印刷機における版掛け装置を発明するに至った。
【００１４】
すなわち、オフセット輪転印刷機において、版胴に設けられたくわえ側万力に印刷版吸着手段を有することを特徴とするオフセット輪転印刷機である。
【００１５】
本発明において、上記印刷版吸着手段が、エアー吸着手段、静電気吸着手段から選ばれる１つ以上の吸着手段であることを特徴とする。
【００１６】
また、オフセット輪転印刷機における版胴のくわえ側万力に設けられた上記印刷版吸着手段により、少なくとも版掛け時に印刷版を吸着させることを特徴とする版掛け方法である。すなわち、くわえ側万力による印刷版の版胴への固定が完了すれば、印刷版吸着手段による吸着性を保持する必要はない。
【発明の効果】
【００１７】
以上説明したように、本発明におけるくわえ側万力と印刷版の間隔によって生じる印刷版のたわみを除去する装置により、フレキシブルベース版において発生する初期見当の部分的な歪みを、より効果的に防止できるようになった。
【発明を実施するための最良の形態】
【００１８】
以下、本発明のオフセット輪転印刷機における版掛け装置について、図面を用いて詳細に説明する。
【００１９】
図１は、本発明のオフセット輪転印刷機に係る印刷版吸着手段１をくわえ側万力に設置した一実施態様を示す断面図である。くわえ側万力２の版胴側に設置された印刷版吸着手段１には、複数の吸引孔５が設けられている。該吸引孔５は図示しない真空ポンプ等の吸着力発生手段に接続されており、該吸引孔５を経てエアーが吸引（矢印で図示）される。
【００２０】
なお、印刷版吸着手段１における吸引孔５は、図面上では断面３箇所のみを図示しているが、くわえ側万力２の幅方向に向けて任意の個数が並んで設置されていると理解されたい。また、該吸引孔５の設置個数や設置位置等は、使用される印刷版３の大きさや重さにより適宜調整することが好ましい。具体的には、版掛けに際し、印刷版３が当接しない印刷版吸着手段１部分等の吸引孔５をマスキングするとか、吸引孔５の設置個数や設置位置が異なる印刷版吸着手段１を複数種用意しておき、印刷版吸着手段１を着脱式として、使用される印刷版３の大きさ等により適宜印刷版吸着手段１を差し替えることでも良い。
【００２１】
ところで、本発明における版掛け方法としては、オフセット輪転印刷機における版胴４のくわえ側万力２に設けられた印刷版吸着手段１により、少なくとも版掛け時に印刷版３を吸着させる方法が挙げられるが、版掛け時に印刷版３を吸着させつつくわえ側万力２によって印刷版３を一旦固定してしまえば、それ以降の例えば印刷中等では特に吸着性を維持する必要がないので、印刷版吸着手段１の吸着力発生手段への接続は版胴４を介さず、直接印刷版吸着手段１へ吸着力発生手段を接続し、くわえ側万力による印刷版３の版胴４への固定が完了すれば、吸着力発生手段を脱着し得る構成にしても差し支えない。
【００２２】
図２の本発明の版掛け装置をくわえ側万力に設置した一実施態様を示す断面図に示すように、くわえ側万力２の版胴側に吸着装置１が設置されていることにより、印刷版３が版胴方向に吸引されるため、該万力と印刷版３の間隔が無くなり、印刷版３は版胴側へ密着している。
【００２３】
上記の状態であれば、腰の柔らかい材料をベースに適用しているフレキシブルベース版においても間隔Ｘで発生するたわみが除去されるため、図７のくわえ側万力付近の印刷版の断面図に示すように、版胴４の幅方向に対して印刷版８のくわえ側が平行に近づきやすくなるため、図８の印刷用紙９に印刷された印刷画像１０に示すように良好な初期見当が得ることができる。
【００２４】
なお、オフセット輪転印刷機の仕様によって、図２に示すくわえ側万力２の間隔Ｘの幅が異なる場合があることや、使用される印刷版の大きさや重さが異なる場合もあるため、吸引装置１の吸引力は任意に調整できることが好ましい。
【００２５】
図３は、本発明のオフセット輪転印刷機にかかる印刷版吸着手段である印刷版吸着手段６をくわえ側万力に設置した一実施態様を示す断面図である。くわえ側万力２の版胴側に設置された印刷版吸着手段６には、静電気吸着手段を採用している。静電気吸着手段は図示しない吸着用電源に接続されており、静電気を発生させることにより吸引（矢印で図示）される。
【００２６】
なお、印刷版吸着手段６は図面上では断面図のみを図示しているが、くわえ側万力２の幅方向に向けて任意の幅で設置されていると理解されたい。また、該印刷版吸着手段６の吸着力等は、使用される印刷版の大きさや重さにより適宜調整することが好ましい。具体的には、吸着力が異なる印刷版吸着手段６を複数種用意しておき、印刷版吸着手段６を着脱式として、使用される印刷版３の大きさ等により適宜印刷版吸着手段６を差し替える方法が挙げられる。
【００２７】
版掛け時に印刷版３を吸着させつつくわえ側万力２によって印刷版３を一旦固定してしまえば、それ以降の例えば印刷中等では特に吸着性を維持する必要がないので、直接印刷版吸着手段６へ吸着力発生手段である吸着用電源を接続し、くわえ側万力２による印刷版３の版胴４への固定が完了すれば、吸着用電源を脱着し得る構成とした方が好ましい。
【００２８】
図４の本発明の版掛け装置をくわえ側万力に設置した一実施態様を示す断面図に示すように、くわえ側万力２の版胴側に印刷版吸着手段６が設置されていることにより、印刷版３が版胴方向に吸引されるため、該万力と印刷版３の間隔が無くなり、印刷版３は版胴側へ密着している。
【００２９】
上記の状態であれば、腰の柔らかい材料をベースに適用しているフレキシブルベース版においても間隔Ｘで発生するたわみが除去されるため、図７のくわえ側万力付近の印刷版の断面図に示すように、版胴４の幅方向に対して印刷版８のくわえ側が平行に近づきやすくなるため、図８の印刷用紙９に印刷された印刷画像１０に示すように良好な初期見当が得ることができる。
【００３０】
なお、オフセット輪転印刷機の仕様によって、図４に示すくわえ側万力２の間隔Ｘの幅が異なる場合があることや、使用される印刷版の大きさや重さが異なる場合もあるため、吸引装置６の吸引力は任意に調整できることが好ましい。
【産業上の利用可能性】
【００３１】
本発明は、オフセット輪転印刷機におけるフレキシブルベース版の版掛けに適用できるものである。
【図面の簡単な説明】
【００３２】
【図１】本発明の版掛け装置をくわえ側万力に設置した一実施態様を示す断面図である。
【図２】本発明の版掛け装置をくわえ側万力に設置した一実施態様を示す断面図である。
【図３】本発明の版掛け装置をくわえ側万力に設置した一実施態様を示す断面図である。
【図４】本発明の版掛け装置をくわえ側万力に設置した一実施態様を示す断面図である。
【図５】版胴に印刷版を装着した態様を示す断面図である。
【図６】版胴に設けられたくわえ側万力の断面図である。
【図７】くわえ側万力付近の印刷版の断面図である。
【図８】良好な初期見当が得られた印刷画像を示す平面図である。
【図９】版胴に設けられたくわえ側万力の断面図である。
【図１０】くわえ側万力付近の印刷版の断面図である。
【図１１】部分的な歪みが発生した初期見当の印刷画像を示す平面図である。
【符号の説明】
【００３３】
１、６  印刷版吸着手段
２  くわえ側万力
３  印刷版
４  版胴
５  吸引孔
７  くわえ尻側万力
８、１２  印刷版のくわえ側断面
９  印刷用紙
１０  良好な初期見当が得られた印刷画像
１１  たわみが発生した印刷版
１３  部分的な歪みが発生した初期見当の印刷画像
Ｘ  くわえ側万力における印刷版を挿入させるために設けられている間隔
【図１】
2006240019.tif 000003
【図２】
2006240019.tif 000004
【図３】
2006240019.tif 000005
【図４】
2006240019.tif 000006
【図５】
2006240019.tif 000007
【図６】
2006240019.tif 000008
【図７】
2006240019.tif 000009
【図８】
2006240019.tif 000010
【図９】
2006240019.tif 000011
【図１０】
2006240019.tif 000012
【図１１】
2006240019.tif 000013